(57)【要約】      （修正有）【課題】採光性を有する装飾性模様を持つ板状部材を取り付けた建具を具備した採光性装飾建材又は間仕切り建材を提供する。【解決手段】採光性を有する装飾性模様を持つ板状部材を取り付けた建具において、板状部材に所望の形状を刻孔した同一模様を持つ二枚の薄板の間に淡色の加工和紙材で挟んでいる採光性板材１であり、前記板状部材を建具の５〜５０％の面積割合に嵌め込み、透光性板状部材には刻孔した同一模様ピッチを２０〜８０％の面積割合で装飾性彫刻孔４を設けて、中心部に０．２〜２ｍｍの厚さの透光性を高めた樹脂処理した和紙を使用した淡色加工和紙材になっている採光性装飾建材である。【選択図】図１
0003216941.tif 000002
【実用新案登録請求の範囲】
【請求項１】
採光性を有する装飾性模様を持つ板状部材を取り付けた建具において、板状部材に所望の形状を刻孔した同一模様を持つ二枚の薄板の間に淡色の加工和紙材で挟んでいる採光性板材であり、前記板状部材を建具の５〜５０％の面積割合に嵌め込み、採光性板状部材には刻孔した同一模様ピッチを２０〜８０％の面積割合で装飾性彫刻孔を設けて、中心部に０．２〜２ｍｍの厚さの透光性を高めた樹脂処理した和紙を使用した淡色加工和紙材になっていることを特徴とする採光性装飾建材。
【請求項２】
採光性を有する装飾性模様を持つ板状部材は、中心部の淡色加工和紙材を設けて、両側に厚さ２〜５ｍｍ、横３００〜１５００ｍｍ、縦１５０〜１８００ｍｍの木質平板材にして、前記木質平板材は、合板、ＭＤＦであって、５〜５０％の面積割合で装飾性彫刻孔を設けた二枚の板材の表面には花模様、葉模様、樹木模様、果物模様、雲模様、山模様、角型模様、円―角模様、幾何学模様から選ばれた１種以上の模様ピッチを呈した所望の形状を刻孔した同一模様を持っていることを特徴とする請求項１に記載の採光性装飾建材。
【請求項３】
二枚の木質薄板の平板材の間に淡色の加工和紙材は、白色、並びに淡色を帯びた黄色、灰色、ピンク色から選ばれた採光性色彩和紙材であり、前記和紙材の両表面を透明性塩化ビニール樹脂で被覆した、厚さ０．２〜２ｍｍにして採光性と耐久性を向上させていることを特徴とする請求項１、又は請求項２に記載の採光性装飾建材。
【請求項４】
採光性を有する装飾性模様を持つ板状部材を取り付けた建具は、寸法として幅６００〜１３００ｍｍ、高さ１８００〜２１００ｍｍであり、建築物の開き戸と引き戸、及び部屋の間仕切りに使用できることを特徴とする請求項１に記載の採光性装飾建材。
【考案の詳細な説明】
【技術分野】
【０００１】  本考案は、採光性を有する装飾性模様を持つ板状部材を取り付けた建具を具備した採光性装飾建材に関するものである。
【背景技術】
【０００２】  従来、窓サッシ等の建具は、矩形状の枠体内に、ガラス板を固定したものが一般的であり、光透過性を確保した上で、雨風等の浸入を阻むという作用効果を奏する建具が提案されている（特許文献１参照）。【０００３】開口を有し、その開口を閉止する位置に少なくとも一部が透明な素材からなる板材を対をなして取り付けるとともに、装飾具を両板材間に挟み込んで固定して、それら板材間に装飾具を介在させている建材が提案されている（特許文献２参照）。【０００４】古風な住宅又は洋風な住まいに生活している方、又は和風の新築計画を考えている方には建具の新方式の絵画具が簡単に取替る和洋式を提供することにおいて、建具の表面の見える所又は使用する所に変化が無く其の為に張替え又は新品に取り変えるが、この新しい和洋式は建具の表面の見える所を簡単に幾種類の絵画具に交換出来る事が可能にしたものが提案されている（特許文献３参照）。【０００５】和紙そのものを扉の採光部分に用い、和風の意匠デザインをより鮮明に浮き立って表現させ、カット硝子風の面取りデザインによる優れた意匠効果を表現した和風採光扉を良好な作業環境のもと極めて作業性良く安価に製造する方法において、和紙模様入り框組採光扉を製造する方法として、透光板、框、和紙、弾性部材、接着剤、作業台、位置決めのための定規と識別表示を用意し、縦框及び横框の内面に透光板の端部を嵌合させるための嵌合溝を形成し、嵌合溝内部に弾性部材を装着し、和紙表面に水性のアクリル系接着剤を微量噴霧したのち養生し、水分を十分に除去し、和紙を識別表示に従って位置決めしながら、二枚の透光板の間に挟持させ、和紙入り透光板を作製し、嵌合溝に和紙入り透光板の端部周縁を嵌入し、接着剤が硬化するまで養生し、必要に応じて縦框及び横框を塗装仕上げする手順で製造することが提案されている（特許文献４参照）。【０００６】装飾具取り付けのための桟やホルダーが不要であるため構造が簡単で、通常の加工精度で十分に加工でき製造作業性に優れ、長期間使用しても装飾部分の配置ずれや変色やガタツキが生じることなく、カット硝子風の優れた意匠効果が可能となり、さらに、半透明材料からなり濡れて透明化し易い和紙そのものも装飾体として用いることを可能とし、扉の採光部分の一部分にのみ配置し、配置部分と非配置部分との対比で意匠デザインを現出可能とし、和紙を用いた和風意匠の扉を安価に提供する（特許文献５参照）。【０００７】採光性を有する装飾性模様を持つ板状部材を取り付けた建具を具備した採光性装飾建材に関するものは存在していない。
【先行技術文献】
【特許文献】
【０００８】
【特許文献１】特開２００３−２７８４５２号公報
【特許文献２】特開２００１−３２６４３号公報
【特許文献３】特開２０１４−９５８５号公報
【特許文献４】特開２００９−２８１０５８号公報
【特許文献５】特開２００９−２４４４２号公報
【考案の概要】
【考案が解決しようとする課題】
【０００９】建具においては、ドアの開口部の採光部分に、固定桟及び可動桟を取り付け、２枚の表面化粧ベニヤ合板又はＭＤＦを合わせて模様柄の加工を施し、その間に装飾具を挟み込んで前記取り付け桟によってドア本体に取り付け固定する構成とされている。また、２枚の表面化粧ベニヤ合板又はＭＤＦを合わせて模様柄の加工を施した間に装飾具を保持するためのホルダーを用意し、このホルダーによって装飾具を保持する構成になっている。【００１０】  このような構成のドア、建具においては、固定桟、可動桟又はホルダーを用いて取り付けるので構造が複雑で、製造工程も複雑になり、品質の安定したものを作製するには複雑な作業を要し、製造コスト的にも不利となり、高価なものについていた。さらに、製作に高い精度が要求され、桟やホルダーそのものに寸法誤差があると取り付け不能になったり、ガタツキが生じる恐れがあった。また、長期間使用中に木製ドアの場合、室内の湿気の吸放出によって木質部の含水率が変動し、それにつれて桟が変形することもあった。【００１１】合わせ硝子の間に装飾具として、和紙を挿入する場合、採光部全面に和紙を配置する必要がある。すなわち、ドアを施工後長期間使用中に、ドアの開閉操作時の衝撃によって、和紙の配置位置が微妙に変化し意匠性に影響を与えるので、和紙を全面配置しないと、前記和紙配置位置の微妙な変化を防止できなかった。しかし、和紙そのものは装飾具とならず、和紙はあくまでも、採光板（透光板）の一種として配置され、和紙の一部に透光性のない素材で作製された絵柄等をデザインとして配置する必要があり、和紙そのものが装飾具にはなり得なかった。【００１２】  また、接着剤で和紙そのものを固定することも考えられるが、従来の接着技術を用いた製造方法では、せっかくの和紙が濡れ色になり、透明化してしまって、硝子板と区別不能となり、和紙の配置部分と非配置部分との対比で、和紙そのものをデザイン意匠とすることはできなかった。また、和紙が変色することも多々あった。また、接着剤によっては、溶剤系のものを使用すると、和紙の透明化現象が緩和できるが、臭気が発生するので製造作業環境が悪化する。これらのことは、和紙以外の例えば布製の面状装飾体においても同様である。【００１３】  本考案の目的は、採光性を有する装飾性模様を持つ板状部材を取り付けた建具において、板状部材に所望の形状を刻孔した同一模様を持つ二枚の薄板の間に淡色の加工和紙材で挟んでいる採光性板材であり、そのもの自体を装飾体として用いることを可能とし、半透明材料からなる和紙も、そのもの自体をデザイン意匠として扉の採光部分の一部分にのみ配置し、配置部分によって、和風の意匠デザインをより鮮明に浮き立って表現することが可能で、和紙などを用いた装飾具、透光板等によるガタツキが生じることもなく、前記装飾体の配置部分が、面取りデザインに優れた意匠効果を表現することが可能で、作業性良く、作業環境を悪化させない安価な採光扉を提供することにある。
【課題を解決するための手段】
【００１４】  このような課題に鑑みて、本考案は、採光性装飾建材、又は採光性間仕切り用建材に以下の構成を具備するものである。採光性を有する板状部材に、所定のピッチで配置された多数の彫刻孔と、これら多数の彫刻孔ピッチよりも長く連続装飾形状にしている。【００１５】  採光性を有する装飾性模様を持つ板状部材を取り付けた建具において、板状部材に所望の形状を刻孔した同一模様を持つ二枚の薄板の間に淡色の加工和紙材で挟んでいる採光性板材であり、前記板状部材を建具の５〜５０％の面積割合に嵌め込み、透光性板状部材には刻孔した同一模様ピッチを２０〜８０％の面積割合で装飾性彫刻孔を設けて、中心部に０．２〜２ｍｍの厚さの透光性を高めた樹脂処理した和紙を使用した淡色加工和紙材になっている。【００１６】採光性を有する装飾性模様を持つ板状部材は、中心部の淡色加工和紙材を設けて、両側に厚さ２〜５ｍｍ、横３００〜１５００ｍｍ、縦１５０〜１８００ｍｍの木質平板材にして、前記木質平板材は、合板、ＭＤＦであって、５〜５０％の面積割合で装飾性彫刻孔を設けた二枚の板材の表面には花模様、葉模様、樹木模様、果物模様、雲模様、山模様、動物模様、角型模様、円―角模様、幾何学模様、幾何学模様から選ばれた１種以上の模様ピッチを呈した所望の形状を刻孔した同一模様を持っている。【００１７】二枚の木質薄板の間に淡色の加工和紙材は、白色、並びに淡色を帯びた黄色、灰色、ピンク色から選ばれた採光性色彩和紙材であり、前記和紙材の両表面を透明性塩化ビニール樹脂で被覆した、厚さ０．２〜２ｍｍにして採光性と耐久性を向上させている。また装飾性彫刻孔を設けた二枚の板材の表面には花模様、葉模様、樹木模様、果物模様、雲模様、山模様、動物模様、角型模様、円―角模様、幾何学模様は、ＮＣ機器に、或いは手彫りで行うこともできる。【００１８】採光性を有する装飾性模様を持つ板状部材を取り付けた建具は、寸法として幅６００〜１３００ｍｍ、高さ１８００〜２１００ｍｍであり、家屋又は老人福祉施設、又は店舗等の開き戸と引き戸及び間仕切りに使用できる。
【考案の効果】
【００１９】採光性和風建材は、採光性を有する装飾性模様を持つ板状部材を取り付けた建具は、家屋又は老人福祉施設、店舗等の開き戸と引き戸及び間仕切りに使用できる。製作に高い精度が要求され、彫刻板部材や和紙そのものに寸法誤差を生じて取り付け不能にはならず、ガタツキが生じる恐れもなく。また長期間使用中に木製ドアの場合、室内の湿気の吸放出によって木質含水に変動もなく、それにつれて建具の桟なども変形することもなかった。【００２０】採光性を有する装飾性模様を持つ板状部材を取り付けた建具において、板状部材に所望の形状を刻孔した同一模様を持つ二枚の薄板の間に淡色の加工和紙材で挟んでいる採光性板材であり、そのもの自体をデザイン意匠として扉の採光部分の一部分にのみ配置し、配置部分によって、和風の意匠デザインをより鮮明に浮き立って表現することが可能で、和紙などを用いた装飾具、採光板材による変色が生じることもなく、前記装飾体の配置部分が、面取りデザインに優れた意匠効果を表現されている。
【図面の簡単な説明】
【００２１】
【図１】本考案に係る採光性装飾建材の扉（一枚戸）を示す斜視図である。
【図２】本考案に係る採光性装飾建材の扉（二枚戸）を示す斜視図である。
【図３】同採光性装飾の採光性板状部材の要部拡大図である。Ａ：装飾性彫刻孔入り木質平板材  Ｃ：張り合わせ断面  Ｂ：Ａと樹脂処理和紙材の張り合わせ状態
【図４】同採光性装飾の表面の板と、背面の板を表示した図である。Ａ：表面の板  Ｂ：背面の板
【図５】同採光性装飾建材の彫刻模様に関する図である。Ａ：花模様  Ｂ：角型模様  Ｃ：円―角模様
【図６】本考案に係る採光性装飾建材を使用した一枚の開き戸のドアの平面図である。
【図７】本考案に係る採光性装飾建材を使用した二枚引き戸ドアの平面図である。
【考案を実施するための形態】
【００２２】  以下、図面を参照しながら本発明の実施形態を説明する。以下、採光性装飾建材又は採光性間仕切り用建材における異なる図における同一符号は略同一の構成を示しており、重複する説明は適宜省略する。
【実施例１】
【００２３】図１に示すように採光性を有する装飾性模様を持つ板状部材を取り付けた建具において、図４のＡ，Ｂのように板状部材に花模様の形状を刻孔した同一模様を持つ二枚の薄板の間に、図３に示すように淡色の加工和紙材で挟んでいる採光性板材であり、前記板状部材を建具の約３０％の面積割合に嵌め込み、透光性板状部材には刻孔した同一模様ピッチを６０％の面積割合で装飾性彫刻孔を設けて、中心部に０．５ｍｍの厚さの透光性を高めた塩化ビニール樹脂処理した和紙を使用した淡色加工和紙材にした。【００２４】採光性を有する装飾性花模様を持つ板状部材は、中心部の淡色加工和紙材を設けて、両側に厚さ３ｍｍ、横４００ｍｍ、縦８００ｍｍの木質平板材にして、前記木質平板材は、合板であって、３０％の面積割合で装飾性彫刻孔を設けた二枚の板材の表面には花模様の模様ピッチを呈した形状を刻孔した。【００２５】二枚の木質薄板の間に淡色の加工和紙材は、白色の採光性色彩和紙材であり、前記和紙材の両表面を透明性塩化ビニール樹脂で被覆した、厚さ０．５ｍｍにして採光性と耐久性を向上させた。【００２５】図６に示すように、採光性を有する装飾性模様を持つ板状部材を取り付けた建具は、寸法として幅９００ｍｍ、高さ１９００ｍｍであり、家屋の開き戸に使用した。
【実施例２】
【００２６】図２に示すように採光性を有する装飾性模様を持つ板状部材を取り付けた建具において、板状部材に所望の形状を刻孔した同一模様を持つ二枚の薄板の間に淡色の加工和紙材で挟んでいる採光性板材であり、前記板状部材を建具の４５％の面積割合に嵌め込み、透光性板状部材には刻孔した同一模様ピッチを６０％の面積割合で装飾性彫刻孔を設けて、中心部に１ｍｍの厚さの透光性を高めた樹脂処理した和紙を使用した。【００２７】採光性を有する装飾性模様を持つ板状部材は、中心部の淡色加工和紙材を設けて、両側に厚さ３ｍｍ、横４００ｍｍ、縦１２００ｍｍの木質平板材にして、前記木質平板材は、ＭＤＦであって、４５％の面積割合で装飾性彫刻孔を設けた二枚の板材の表面には葉模様の模様ピッチを呈した形状を刻孔した。【００２８】二枚の木質薄板の間に淡色の加工和紙材は、淡色を帯びた灰色の採光性色彩和紙材であり、前記和紙材の両表面を透明性塩化ビニール樹脂で被覆した、厚さ１ｍｍにして採光性と耐久性を向上させた。２枚の採光性を有する装飾性模様を持つ板状部材を製造した。【００２９】図７に示すように採光性を有する装飾性模様を持つ板状部材を取り付けた建具は、寸法として幅９００ｍｍ、高さ１８００ｍｍであり、老人福祉施設での引き戸として二枚の戸で使用した。
【実施例３】
【００３０】図１に示すように採光性を有する装飾性模様を持つ板状部材を取り付けた建具において、図４のＡ，Ｂのように板状部材に花模様の形状を刻孔した同一模様を持つ二枚の薄板の間に、図３に示すように淡色の加工和紙材で挟んでいる採光性板材であり、前記板状部材を建具の約５０％の面積割合に嵌め込み、透光性板状部材には刻孔した同一模様ピッチを６０％の面積割合で装飾性彫刻孔を設けて、中心部に０．７ｍｍの厚さの透光性を高めた塩化ビニール樹脂処理した和紙を使用した淡色加工和紙材にした。【００３１】採光性を有する装飾性花模様を持つ板状部材は、中心部の淡色加工和紙材を設けて、両側に厚さ３ｍｍ、横４００ｍｍ、縦８００ｍｍの木質平板材にして、前記木質平板材は、合板であって、４０％の面積割合で装飾性彫刻孔を設けた二枚の板材の表面には、図５のＢの角模様の模様ピッチを呈した形状を刻孔した。【００３２】二枚の木質薄板の間に淡色の加工和紙材は、白色の採光性色彩和紙材であり、前記和紙材の両表面を透明性塩化ビニール樹脂で被覆した、厚さ０．７ｍｍにして採光性と耐久性を向上させた。【００３３】採光性を有する装飾性模様を持つ板状部材を取り付けた建具は、寸法として幅９００ｍｍ、高さ２０００ｍｍであり、店舗の開き戸に使用した。
【符号の説明】
【００３４】  １：採光性板材
２：木質平板材
３：樹脂処理和紙材
４：装飾性彫刻孔
５：刻孔
６：建具
７：採光性間仕切り建材
８：模様ピッチ
９：中心部
１０：取っ手
１１：蝶番
【図１】
0003216941.tif 000003
【図２】
0003216941.tif 000004
【図３】
0003216941.tif 000005
【図４】
0003216941.tif 000006
【図５】
0003216941.tif 000007
【図６】
0003216941.tif 000008
【図７】
0003216941.tif 000009